(57)【要約】  画面の中心領域から周辺領域にかけて良好な画質を得ることができる内視鏡システムを提供すること。  対物光学系ＯＢＬと、対物光学系ＯＢＬで得られた被写体像を２つのピントの異なる光学像に２つのプリズムを用いて分割する光路分割部２０と、２つの光学像を取得する１つの撮像素子２２と、取得した２つの光学像を相対的にコントラストが高い画像を所定領域において選択し、合成画像を生成する画像合成処理部２３と、を有する内視鏡システムであって、２つのプリズムは、接合剤を介在して接着面どうしが略並行になるように接着され、接着面と対物光学系ＯＢＬの光軸は、４５度の角度をなすとともに、以下の条件式（１）を満足することを特徴とする。  −１０＜ｄ×ｓｉｎ（θ’−４５）／（ｃｏｓθ’×ｉｍ＿ｐｉｔｃｈ）＜１０                …（１）
2017183371.tif 000002
【特許請求の範囲】
【請求項１】
対物光学系と、
前記対物光学系で得られた被写体像を２つのピントの異なる光学像に２つのプリズムを用いて分割する光路分割部と、
前記２つの光学像を取得する１つの撮像素子と、
取得した前記２つの光学像を相対的にコントラストが高い画像を所定領域において選択し、合成画像を生成する画像合成処理部と、を有する内視鏡システムであって、
前記２つのプリズムは、接合剤を介在して接着面どうしが略並行になるように接着され、
前記接着面と前記対物光学系の光軸は、４５度の角度をなすとともに、以下の条件式（１）を満足することを特徴とする内視鏡システム。
−１０＜ｄ×ｓｉｎ（θ’−４５）／（ｃｏｓθ’×ｉｍ＿ｐｉｔｃｈ）＜１０            …（１）
ここで、
ｉｍ＿ｐｉｔｃｈは、前記撮像素子の画素ピッチ、
θ’は、前記接着面へ入射した光線の屈折角、
ｄは、前記接合剤の厚さ、
である。
【請求項２】
以下の条件式（２）、（３）を満足することを特徴とする請求項１に記載の内視鏡システム。
０．７＜Ｎｄ＿Ｐｒ０１／Ｎｄ＿ＣＥ＜１．３      …（２） 
０．７＜Ｎｄ＿Ｐｒ０２／Ｎｄ＿ＣＥ＜１．３      …（３）
ここで、
Ｎｄ＿Ｐｒ０１は、物体側のプリズムのｄ線における屈折率、
Ｎｄ＿Ｐｒ０２は、像側のプリズムのｄ線における屈折率、
Ｎｄ＿ＣＥは、前記接合剤のｄ線における屈折率、
である。
【請求項３】
以下の条件式（４）、（５）を満足することを特徴とする請求項１に記載の内視鏡システム。
０．００１＜ｄ×ｓｉｎ（θ’−４５）／（ｃｏｓθ’×ｆｗ）＜５      …（４）
０．００１＜ｄ×ｓｉｎ（θ’−４５）／（ｃｏｓθ’×ｉｈ）＜３      …（５）
ここで、
ｄは、前記接合剤の厚さ、
θ’は、前記接着面へ入射した光線の屈折角、
ｆｗは、前記対物光学系の通常観察状態における焦点距離、
ｉｈは、像高、
である。
【請求項４】
前記対物光学系の最も物体側に負の第１レンズを有し、
以下の条件式（６）、（７）を満足することを特徴とする請求項２に記載の内視鏡システム。
０．７＜Ｎｄ＿Ｌ０１／Ｎｄ＿ＣＥ＜１．５      …（６）
０．７＜Ｎｄ＿Ｌ０１／Ｎｄ＿Ｐｒ０１＜１．５      …（７）
ここで、
Ｎｄ＿Ｌ０１は、前記負の第１レンズのｄ線における屈折率、
Ｎｄ＿ＣＥは、前記接合剤のｄ線における屈折率、
Ｎｄ＿Ｐｒ０１は、物体側のプリズムのｄ線における屈折率、
である。
【発明の詳細な説明】
【技術分野】
【０００１】
本発明は、内視鏡システム、特に被写界深度内視鏡システムに関する。
【背景技術】
【０００２】
一般に、内視鏡システムを始め、撮像素子を備えた機器において、撮像素子の高画素化に伴い、被写界深度が狭くなることが知られている。すなわち、撮像素子において、画素数を増やすために画素ピッチ（１画素の縦横の寸法）を小さくすると、これに伴って許容錯乱円も小さくなるため、撮像装置の被写界深度が狭くなる。【０００３】
被写界深度を拡大するために、例えば、特許文献１、２、３には、自画像を分割して結像させ、取得した画像を画像処理で合成し深度を拡大する構成が開示されている。この構成では、自画像を分割して結像させ、取得した画像を画像処理で合成し深度を拡大するという点で優れている。
【先行技術文献】
【特許文献】
【０００４】
【特許文献１】国際公開第２０１３／０６１８１９号
【特許文献２】特開２００８−９９７４６号公報
【特許文献３】特許４２２６２３５号公報
【発明の概要】
【発明が解決しようとする課題】
【０００５】
しかしながら、特許文献１、２、３の構成では撮像素子が複数必要となり、コストが上昇するため好ましくない。【０００６】
本発明は、上記に鑑みてなされたものであって、プリズムを用いた自画像分割における深度拡大技術を用いた内視鏡システムにおいて、画面の中心領域から周辺領域にかけて良好な画質を得ることができる内視鏡システムを提供することを目的とする。
【課題を解決するための手段】
【０００７】
上述した課題を解決し、目的を達成するために、本発明は、以下の手段を提供する。
本発明に係る内視鏡システムの一態様は、
対物光学系と、
対物光学系で得られた被写体像を２つのピントの異なる光学像に２つのプリズムを用いて分割する光路分割部と、
２つの光学像を取得する１つの撮像素子と、
取得した２つの光学像を相対的にコントラストが高い画像を所定領域において選択し、合成画像を生成する画像合成処理部と、を有する内視鏡システムであって、
２つのプリズムは、接合剤を介在して接着面どうしが略並行になるように接着され、
接着面と対物光学系の光軸は、４５度の角度をなすとともに、以下の条件式（１）を満足することを特徴とする。角度の単位は、度である
−１０＜ｄ×ｓｉｎ（θ’−４５）／（ｃｏｓθ’×ｉｍ＿ｐｉｔｃｈ）＜１０          …（１）
ここで、
ｉｍ＿ｐｉｔｃｈは、撮像素子の画素ピッチ、
θ’は、接着面へ入射した光線の屈折角、
ｄは、接合剤の厚さ、
である。
【発明の効果】
【０００８】
本発明は、プリズムを用いた自画像分割における深度拡大技術を用いた内視鏡システムにおいて、画面の中心領域から周辺領域にかけて良好な画質を得ることができる内視鏡システムを提供できるという効果を奏する。
【図面の簡単な説明】
【０００９】
【図１】本発明の一実施形態に係る内視鏡システムが有する対物光学系、光路分割部及び撮像素子の断面構成を示す図である。
【図２】本発明の実施形態に係る内視鏡システムが有する光路分割部と撮像素子との概略構成図である。
【図３】本発明の実施形態に係る内視鏡システムが有する撮像素子の概略構成図である。
【図４】光路分割部の接合剤近傍の構成を示す図である。
【図５】（ａ）は、ｘ方向シフトが補正された光学系のスポットダイアグラムである。（ｂ）は、ｘ方向シフトが発生している光学系のスポットダイアグラムである。
【図６】本発明の実施形態に係る内視鏡システムの構成を示す機能ブロック図である。
【図７】本発明の実施形態に係る内視鏡システムにおいて、２つの光学像を合成する場合の流れを示すフローチャートである。
【図８】本発明の実施形態に係る内視鏡システムにおいて、ビームスプリッタにより奇数回の反射後に撮像素子に結像される場合の結像状態を示す図である。
【図９】本発明の実施例１に係る内視鏡システムが有する対物光学系、光路分割部及び撮像素子の断面構成を示す図であり、（ａ）は通常観察状態における断面図、（ｂ）は近接観察状態における断面図である。
【図１０】（ａ）、（ｂ）、（ｃ）、（ｄ）は、それぞれ実施例１の通常観察状態における球面収差（ＳＡ)、非点収差（ＡＳ）、歪曲収差（ＤＴ）及び倍率色収差（ＣＣ)を示し、（ｅ）、（ｆ）、（ｇ）、（ｈ）は、それぞれ近接観察状態における球面収差（ＳＡ)、非点収差（ＡＳ）、歪曲収差（ＤＴ）及び倍率色収差（ＣＣ)を示す収差図である。
【発明を実施するための形態】
【００１０】
以下、本実施形態に係る内視鏡システムについて、図面を用いて、このような構成をとった理由と作用を説明する。なお、以下の実施形態によりこの発明が限定されるものではない。
【００１１】
本実施形態に係る内視鏡システムは、図１に示すように、対物光学系ＯＢＬと、対物光学系ＯＢＬで得られた被写体像を２つのピントの異なる光学像に２つのプリズムを用いて分割する光路分割部２０と、２つの光学像を取得する１つの撮像素子２２と、取得した２つの光学像を相対的にコントラストが高い画像を所定領域において選択し、合成画像を生成する画像合成処理部２３（図６）と、を有する内視鏡システムであって、２つのプリズムは、接合剤を介在して接着面どうしが略並行になるように接着され、接着面と対物光学系ＯＢＬの光軸は、４５度の角度をなすとともに、以下の条件式（１）を満足することを特徴とする。角度の単位は、度である。
−１０＜ｄ×ｓｉｎ（θ’−４５）／（ｃｏｓθ’×ｉｍ＿ｐｉｔｃｈ）＜１０          …（１）
ここで、
ｉｍ＿ｐｉｔｃｈは、撮像素子２２の画素ピッチ、
θ’は、接着面２１ｈへ入射した光線の屈折角、
ｄは、接合剤２１ｇの厚さ、
である。
【００１２】
光路分割部２０の構成を説明する。図２は、光路分割部２０の概略構成を示す図である。
【００１３】
対物光学系ＯＢＬを射出した光は、光路分割部２０に入射する。
【００１４】
光路分割部２０は、被写体像をピントの異なる２つの光学像に分割する偏光ビームスプリッタ２１、２つの光学像を撮像して２つの画像を取得する撮像素子２２を有する。
【００１５】
偏光ビームスプリッタ２１は、図２に示すように、第１プリズム２１ｂ、第２プリズム２１ｅ、ミラー２１ｃ、及びλ／４板２１ｄを備えている。第１プリズム２１ｂ（物体側のプリズム）及び第２プリズム２１ｅ（像側のプリズム）は共に光軸ＡＸに対して４５度の斜度であるビームスプリット面を有する。
【００１６】
第１プリズム２１ｂのビームスプリット面には偏光分離膜２１ｆが形成されている。そして、第１プリズム２１ｂ及び第２プリズム２１ｅは、互いのビームスプリット面を偏光分離膜２１ｆを介して当接させて偏光ビームスプリッタ２１を構成している。
【００１７】
また、ミラー２１ｃは、第１プリズム２１ｂの端面近傍にλ／４板２１ｄを介して設けられている。第２プリズム２１ｅの端面には、カバーガラスＣＧを介して撮像素子２２が取り付けられている。
【００１８】
対物光学系ＯＢＬからの被写体像は、第１プリズム２１ｂにおいてビームスプリット面に設けられた偏光分離膜２１ｆによりＰ偏光成分（透過光）とＳ偏光成分（反射光）とに分離され、反射光側の光学像と透過光側の光学像との２つの光学像に分離される。
【００１９】
Ｓ偏光成分の光学像は、偏光分離膜２１ｆで撮像素子２２に対して対面側に反射されＡ光路を通り、λ／４板２１ｄを透過後、ミラー２１ｃで反射され、撮像素子２２側に折り返される。折り返された光学像は、λ／４板２１ｄを再び透過する事で偏光方向が９０°回転し、偏光分離膜２１ｆを透過して撮像素子２２に結像される。
【００２０】
Ｐ偏光成分の光学像は、偏光分離膜２１ｆを透過してＢ光路を通り、撮像素子２２に向かって垂直に折り返す第２プリズム２１ｅのビームスプリット面と反対側に設けられたミラー面によって反射され、撮像素子２２に結像される。この際、Ａ光路とＢ光路で、例えば、数十μｍ程度の所定の光路差を生じさせるように、プリズム硝路を設定しておき、ピントが異なる２つの光学像を撮像素子２２の受光面に結像させる。
【００２１】
すなわち、第１プリズム２１ｂ及び第２プリズム２１ｅを、被写体像をピント位置が異なる２つの光学像に分離できるように、第１プリズム２１ｂにおける撮像素子２２に至る透過光側の光路長（硝路長）に対して反射光側の光路長が短く（小さく）なるように配置する。
【００２２】
撮像素子２２は、図３に示すように、ピント位置が異なる２つの光学像を各々個別に受光して撮像するために、撮像素子２２の全画素領域の中に、２つの受光領域（有効画素領域）２２ａ、２２ｂが設けられている。
【００２３】
受光領域２２ａ、２２ｂは、２つの光学像を撮像するために、これらの光学像の結像面と各々一致するように配置されている。そして、撮像素子２２において、受光領域２２ａは受光領域２２ｂに対してそのピント位置が相対的に近点側にシフトしており（ずれており）、受光領域２２ｂは受光領域２２ａに対してそのピント位置が相対的に遠点側にシフトしている。これにより、ピントが異なる２つの光学像を撮像素子２２の受光面に結像させるように構成されている。
【００２４】
なお、第１プリズム２１ｂと第２プリズム２１ｅにおける両者の硝材の屈折率を異ならせることにより、撮像素子２２に至る光路長を変えて受光領域２２ａ、２２ｂに対するピント位置を相対的にずらすようにしても良い。
【００２５】
また、受光領域２２ａ、２２ｂの周囲には、２つに分割された光学像の幾何的なズレを補正するための補正画素領域２２ｃが設けられている。補正画素領域２２ｃ内において製造上の誤差を抑え、後述する画像補正処理部２３ｂ（図６）にて画像処理による補正を行なうことで、上記した光学像の幾何学的なズレを解消するようになっている。
【００２６】
上述の本実施形態の第２レンズ群Ｇ２は、フォーカシングレンズであり、光軸の方向における２つの位置に選択的に移動可能である。不図示のアクチュエータにより、第２レンズ群Ｇ２は、２つの位置間で一方の位置から他方の位置、他方の位置から一方の位置に移動するように駆動される。
【００２７】
第２レンズ群Ｇ２を、前方側（物体側）の位置に設定した状態においては遠方観察（通常観察）する場合の観察領域の被写体にピントが合うように設定される。また、第２レンズ群Ｇ２を後方側の位置に設定した状態においては近接観察（拡大観察）する場合の観察領域の被写体にピントが合うように設定されている。
【００２８】
なお、本実施形態のように、偏光ビームスプリッタ２１を適用して偏光分離をする場合、分離する光の偏光状態が円偏光でないと分離した像の明るさに差が生じてしまう。規則的な明るさの差異は画像処理での補正が比較的容易であるが、局所的に且つ観察条件で明るさの差異が生じた場合、補正しきれなくなり、合成画像に明るさムラが生じてしまう場合がある。
【００２９】
内視鏡で観察する被写体は、合成画像の比較的視野周辺部で明るさムラが生じてしまう可能性がある。なお、この偏光状態が崩れた明るさムラは、被写体が比較的飽和気味の明るさ分布であると顕著に生じる。
【００３０】
視野の周辺部において、内視鏡では比較的近接して被写体像の血管走行や粘膜構造を見る事が多く、ユーザーにとって非常に煩わしい画像になる可能性が高い。
そこで、例えば、図２に示すように、この偏光状態が崩れた状態を円偏光に戻す様にλ／４板２１ａを、光路分割部２０の偏光分離膜２１ｆより物体側に配置することが好ましい。
【００３１】
なお、上述のような偏光ビームスプリッタの代わりに、入射光を強度分割するハーフミラーを用いることもできる。
【００３２】
本実施形態における光路分割部２０について、さらに説明する。図４は、光路分割部２０の接合剤２１ｇ近傍の構成を示している。第１プリズム２１ｂと、第２プリズム２１ｅは、接合剤２１ｇを介在して接着面２１ｈ、２１ｉどうしが略並行になるように接着されている。接着面２１ｈと対物光学系ＯＢＬの光軸ＡＸは、４５度の角度をなしている。なお、接着面２１ｈと対物光学系ＯＢＬの光軸ＡＸのなす角度は、略４５度であれば良い。
【００３３】
光軸ＡＸに沿って進行する光線ＡＬは、第１プリズム２１ｂの接着面２１ｈに対して入射角θ＝４５°で入射する。接着面２１ｈの法線をＮで示す。そして、光線ＡＬは、接着面２１ｈにおいて角度θ’の方向に屈折する。
【００３４】
２つの４５度プリズムを用いて光路を分割する光学系では、プリズムの屈折率と接合剤の屈折率との差によって光線が屈折する。この屈折は、プリズムの４５斜面度を含む面（図４のｘ方向）には発生するが、その垂直方向（図４のｙ方向）では発生しない。屈折しないで進行した光線ＡＬと、屈折して進行した光線ＡＬ’との距離をｘ方向シフトｘ−ｓｈｔとする（図４参照）。なお、ｘ方向シフトは、プリズムにおけるＡ光路とＢ光路との両方の光路において発生する。
【００３５】
図４の構成において、以下の式（Ａ）の屈折の法則が成立する。
Ｎｄ＿Ｐｒ０１×ｓｉｎθ＝Ｎｄ＿ＣＥ×ｓｉｎθ’      （Ａ）
ここで、
Ｎｄ＿Ｐｒ０１は、物体側の第１プリズム２１ｂのｄ線における屈折率、
Ｎｄ＿ＣＥは、接合剤２１ｇのｄ線における屈折率、
θは、接着面２１ｈへ入射した光線ＡＬの入射角、
θ’は、接着面２１ｈへ入射した光線ＡＬの屈折角、
である。
【００３６】
また、接合剤２１ｇの厚さをｄとすると、以下の式（Ｂ）が成立する。
α＝ｄ／ｃｏｓθ’      （Ｂ）
【００３７】
式（Ａ）、（Ｂ）からｘ方向シフトｘ−ｓｈｔは、次式で示される。
ｘ−ｓｈｔ＝α×ｓｉｎ（θ’−θ）
＝ｄ×ｓｉｎ（θ’−θ）／ｃｏｓθ’
このため、θ＝４５（°）として、ｘ方向シフトｘ−ｓｈｔをｉｍ＿ｐｉｔｃｈで割ることで条件式（１）を得ることができる。
【００３８】
条件式（１）は、ｘ方向シフトに関する。図５（ａ）は、本実施形態において、ｘ方向シフトが補正された光学系のスポットダイアグラムを示す図である。図５（ｂ）は、従来構成において、ｘ方向シフトが発生している光学系のスポットダイアグラムの図である。このように、光線ＡＬのｘ方向シフトのため、対物光学系ＯＢＬを無収差の理想レンズにしても、画面中心において円形の物体が、像面では楕円形になってしまう。このため、解像力が劣化してしまうため好ましくない。
【００３９】
条件式（１）を満足することで、ｘ方向シフトを小さくできるため、良好な光学性能を得ることができる。
【００４０】
条件式（１）の上限値を上回ると、または下限値を下回るとｘ方向シフトの最大値が、撮像素子の画素ピッチに対して大きくなってしまう。このため、光学性能が劣化してしまうため好ましくない。
【００４１】
なお、条件式（１）に代えて、以下の条件式（１）’を満たすことが望ましい。
−５＜ｄ×ｓｉｎ（θ’−４５）／（ｃｏｓθ’×ｉｍ＿ｐｉｔｃｈ）＜５      …（１）’
さらに、条件式（１）に代えて、以下の条件式（１）”を満たすことが望ましい。
−２＜ｄ×ｓｉｎ（θ’−４５）／（ｃｏｓθ’×ｉｍ＿ｐｉｔｃｈ）＜２      …（１）”
【００４２】
また、本実施形態の好ましい態様によれば、以下の条件式（２）、（３）を満足することが望ましい。
０．７＜Ｎｄ＿Ｐｒ０１／Ｎｄ＿ＣＥ＜１．３      …（２） 
０．７＜Ｎｄ＿Ｐｒ０２／Ｎｄ＿ＣＥ＜１．３      …（３）
ここで、
Ｎｄ＿Ｐｒ０１は、物体側の第１プリズム２１ｂのｄ線における屈折率、
Ｎｄ＿Ｐｒ０２は、像側の第２プリズム２１ｅのｄ線における屈折率、
Ｎｄ＿ＣＥは、接合剤２１ｇのｄ線における屈折率、
である。
なお、第１プリズム２１ｂの屈折率Ｎｄ＿Ｐｒ０１と、第２プリズム２１ｅの屈折率Ｎｄ＿Ｐｒ０２は、同じ値であることが望ましい。
【００４３】
条件式（２）は、第１プリズム２１ｂの屈折率と接合剤２１ｇの屈折率の適切な比に関する。条件式（２）を満足することで、第１プリズム２１ｂと接合剤２１ｇの界面における光線ＡＬの屈折量が小さくなるため好ましい。
【００４４】
条件式（２）の上限値を上回ると、または下限値を下回ると、第１プリズム２１ｂと接合剤２１ｇの界面における光線ＡＬの屈折量が大きくなる。このため、ｘ方向シフトが大きくなりすぎてしまうため好ましくない。
【００４５】
条件式（３）は、第２プリズム２１ｅと接合剤２１ｇの屈折率の適切な比に関する。条件式（３）を満足することで、第２プリズム２１ｅと接合剤２１ｇの界面における光線ＡＬの屈折量が小さくなるため好ましい。
【００４６】
条件式（３）の上限値を上回ると、または下限値を下回ると、第２プリズム２１ｅと接合剤２１ｇの界面における光線の屈折量が大きくなる。このため、ｘ方向シフトが大きくなりすぎてしまうため好ましくない。
【００４７】
なお、条件式（２）、（３）に代えて、以下の条件式（２）’、（３）’を満たすことが望ましい。
０．８＜Ｎｄ＿Ｐｒ０１／Ｎｄ＿ＣＥ＜１．２      …（２）' 
０．８＜Ｎｄ＿Ｐｒ０２／Ｎｄ＿ＣＥ＜１．２      …（３）'
さらに、条件式（２）、（３）に代えて、以下の条件式（２）”、（３）”を満たすことが望ましい。
０．９＜Ｎｄ＿Ｐｒ０１／Ｎｄ＿ＣＥ＜１．１１      …（２）”
０．９＜Ｎｄ＿Ｐｒ０２／Ｎｄ＿ＣＥ＜１．１１      …（３）”
【００４８】
また、本実施形態の好ましい態様によれば、以下の条件式（４）、（５）を満足することが望ましい。
０．００１＜ｄ×ｓｉｎ（θ’−４５）／（ｃｏｓθ’×ｆｗ）＜５      …（４）
０．００１＜ｄ×ｓｉｎ（θ’−４５）／（ｃｏｓθ’×ｉｈ）＜３      …（５）
ここで、
ｄは、接合剤２１ｇの厚さ、
θ’は、接着面２１ｈへ入射した光線の屈折角、
ｆｗは、対物光学系の通常観察状態における焦点距離、
ｉｈは、像高、
である。
【００４９】
条件式（４）は、ｘ方向シフトと対物光学系の焦点距離の適切な比に関する。条件式（４）を満足することで、適切なｘ方向シフトに抑えることができるため、解像力が大きく劣化することはない。
【００５０】
条件式（４）の上限値を上回ると、ｘ方向シフトが大きくなりすぎてしまい、解像力が劣化してしまうため好ましくない。
【００５１】
条件式（４）の下限値を下回ると、ｘ方向シフトはほぼ存在しなくなるため、本願の課題自体も生じない。
【００５２】
条件式（５）は、ｘ方向シフトと像高の適切な比に関する。条件式（５）を満足することで、適切なｘ方向シフトを達成できるため、解像力が大きく劣化することはない。
【００５３】
条件式（５）の上限値を上回ると、ｘ方向シフトが大きくなりすぎてしまい、解像力が劣化してしまうため好ましくない。
【００５４】
条件式（５）の下限値を下回ると、ｘ方向シフトはほぼ存在しなくなるため、本願の課題自体も生じない。
【００５５】
なお、条件式（４）、（５）に代えて、以下の条件式（４）’、（５）’を満たすことが望ましい。
０．００１５＜ｄ×ｓｉｎ（θ’−４５）／（ｃｏｓθ’×ｆｗ）＜１      …（４）'
０．００１５＜ｄ×ｓｉｎ（θ’−４５）／（ｃｏｓθ’×ｉｈ）＜０．５      …（５）'
さらに、条件式（４）、（５）に代えて、以下の条件式（４）”、（５）”を満たすことが望ましい。
０．００１６＜ｄ×ｓｉｎ（θ’−４５）／（ｃｏｓθ’×ｆｗ）＜０．１      …（４）”
０．００１６＜ｄ×ｓｉｎ（θ’−４５）／（ｃｏｓθ’×ｉｈ）＜０．１      …（５）”
【００５６】
また、本実施形態の好ましい態様では、対物光学系の最も物体側に負の第１レンズを有し、以下の条件式（６）、（７）を満足することが望ましい。
０．７＜Ｎｄ＿Ｌ０１／Ｎｄ＿ＣＥ＜１．５      …（６）
０．７＜Ｎｄ＿Ｌ０１／Ｎｄ＿Ｐｒ０１＜１．５      …（７）
ここで、
Ｎｄ＿Ｌ０１は、負の第１レンズＬ１のｄ線における屈折率、
Ｎｄ＿ＣＥは、接合剤２１ｇのｄ線における屈折率、
Ｎｄ＿Ｐｒ０１は、物体側のプリズム２１ｂのｄ線における屈折率、
である。
【００５７】
条件式（６）は、負の第１レンズＬ１の屈折率と接合剤２１ｇの屈折率の適切な比に関する。
【００５８】
条件式（６）の上限値を上回ると、接合剤２１ｇの屈折率が小さくなりすぎてしまい、材料の入手性が困難になるため好ましくない。
【００５９】
条件式（６）の下限値を下回ると、負の第１レンズＬ１の屈折率が小さすぎてしまい十分な負のパワーを得られないため好ましくない。
【００６０】
条件式（７）は、負の第１レンズＬ１の屈折率と第１プリズム２１ｂの屈折率との適切な比に関する。
【００６１】
条件式（７）の上限値を上回ると、第１プリズム２１ｂの屈折率が小さくなりすぎてしまい、材料の入手性が困難になるため好ましくない。
【００６２】
条件式（７）の下限値を下回ると、負の第１レンズＬ１の屈折率が小さすぎてしまい十分な負のパワーを得られないため好ましくない。
【００６３】
なお、条件式（６）、（７）に代えて、以下の条件式（６）’、（７）’を満たすことが望ましい。
０．８＜Ｎｄ＿Ｌ０１／Ｎｄ＿ＣＥ＜１．４      …（６）'
０．８＜Ｎｄ＿Ｌ０１／Ｎｄ＿Ｐｒ０１＜１．３      …（７）'
さらに、条件式（６）、（７）に代えて、以下の条件式（６）”、（７）”を満たすことが望ましい。
０．９５＜Ｎｄ＿Ｌ０１／Ｎｄ＿ＣＥ＜１．３      …（６）”
０．９５＜Ｎｄ＿Ｌ０１／Ｎｄ＿Ｐｒ０１＜１．２      …（７）”
【００６４】
次に、図６を参照して、取得した２つの画像の合成に関して説明する。
【００６５】
画像プロセッサ２３は、撮像素子２２により撮像されたピント位置が異なる２つの光学像に係る画像を各々読み出す画像読出部２３ａと、画像読出部２３ａにより読み出された２つの画像に対する画像補正を行う画像補正処理部２３ｂと、補正された２つの画像を合成する画像合成処理を行う画像合成処理部２３ｃと、を有する。
【００６６】
画像補正処理部２３ｂは、撮像素子２２の受光領域２２ａ、２２ｂにそれぞれ結像される２つの光学像に係る画像に対し、互いのピント以外の差異が略同一となるように補正する。すなわち、２つの画像の各光学像における相対的な位置、角度及び倍率が略同一となるように２つの画像に対して補正を行う。
【００６７】
被写体像を２つに分離して撮像素子２２に各々結像させる場合、幾何的な差異が生じる場合がある。すなわち、撮像素子２２の受光領域２２ａ、２２ｂにそれぞれ結像される各々の光学像は、相対的に倍率ズレ、位置ズレ、角度すなわち回転方向のズレ等が発生する場合がある。
【００６８】
これらの差異を製造時などにおいて、完全に解消することは困難であるが、それらのズレ量が大きくなると、合成画像が２重画像となったり、不自然な明るさムラ等を生じたりする。このため、画像補正処理部２３ｂにて上述した幾何的な差異、明るさ差異を補正する。
【００６９】
２つの画像間における明るさの差異を補正する場合、２つの像または画像のうち輝度の低い方の像または画像、もしくは２つの像または画像の相対的に同一位置における輝度の低い方を基準にして補正を行うことが望ましい。
【００７０】
画像合成処理部２３ｃは、画像補正処理部２３ｂにより補正された２つの画像間の対応する所定領域において、相対的にコントラストが高い画像を選択して合成画像を生成する。つまり、２つの画像における空間的に同一の画素領域それぞれにおけるコントラストを比較し、相対的にコントラストが高い方の画素領域を選択することにより、２つの画像から合成された１つの画像としての合成画像を生成する。
【００７１】
なお、２つの画像の同一の画素領域におけるコントラスト差が小さい又は略同一である場合は、その画素領域に所定の重み付けして加算する合成画像処理により、合成画像を生成する。
【００７２】
また、画像プロセッサ２３は、画像合成処理部２３ｃにより合成された１つの画像に対して、色マトリクス処理、輪郭強調、ガンマ補正等の後段画像処理を行う。画像出力部２３ｄは、後段画像処理された画像を出力する。画像出力部２３ｄから出力される画像は画像表示部２４に出力される。
【００７３】
また、撮像素子２２に至る近点光路と遠点光路とに応じて、第１プリズム２１ｂと第２プリズム２１ｅとを異なる硝材で構成し、屈折率を異ならせることにより、相対的にピント位置をずらしても良い。
【００７４】
これにより、ピントの異なる２つの光学像に係る画像を取得し、これら画像を画像合成処理部２３ｃで合成して合成被写界深度を得ることができる。内視鏡検査で広い範囲を俯瞰してスクリーニングする際には遠方観察が適しており、病変の詳細を観察したり、診断したりする際には、近接観察が適している。
【００７５】
このような構成をとることで、より多画素化した撮像素子を使用しても解像力を落とすことなく被写界深度を拡大することが可能となる。更にフォーカシング機構があるので自在に観察範囲を切り替えて高画質の内視鏡観察や診断を行うことができる。
【００７６】
次に、本実施形態において、２つの光学像を合成する場合の流れを図７のフローチャートに従って説明する。
【００７７】
ステップＳ１０１において、撮像素子２２において取得された、ピントの異なる遠点像に係る画像と近点像に係る画像とが、画像補正処理部２３ｂにおいて、遠近２画像の補正処理が行なわれる。すなわち、予め設定された補正パラメータに従って、２つの画像の各光学像における相対的な位置、角度及び倍率が略同一となるように２つの画像に対して補正を行い、補正後の画像を画像合成処理部２３ｃに出力する。なお、必要に応じて２画像の明るさや色の差異を補正してもよい。
【００７８】
ステップＳ１０２において、補正処理が行なわれた２つの画像が画像合成処理部２３ｃにて合成される。この際、遠近２画像の各々対応する画素領域において、コントラスト値が各々算出され、比較される。
【００７９】
ステップＳ１０３において、比較されたコントラスト値に差があるか否かを判断し、コントラストに差がある場合、ステップＳ１０５に進み、コントラスト値の高い領域を選択して合成される。
【００８０】
ここで、比較するコントラスト値の差が小さい乃至はほぼ同じである場合には、遠近２画像のどちらを選択するか処理上の不安定要因となる。例えば、ノイズ等の信号の揺らぎがあると、合成画像に不連続領域が生じたり、本来は解像している被写体像がボケてしまうといった不具合を生じさせたりする。
【００８１】
そこで、ステップＳ１０４に進み、重み付けを行う。ステップＳ１０４において、コントラス比較を行なう画素領域において、２画像でコントラスト値がほぼ同一である場合には、重み付けを行い、次のステップＳ１０５で重み付けを行った画像の加算処理を行う事で、画像選択の不安定さを解消している。
【００８２】
このように、本実施形態によれば、近接観察及び遠方観察の何れにおいても、ノイズ等によって合成画像において不連続領域が発生したり、光学像がぼけたりすることを防止しながら、被写界深度を拡大させた画像を取得することができる。
【００８３】
また、２つの画像は、同一の撮像素子により撮像されているので、撮像素子を複数備えるものに比べて、製造コストを低減し、装置を大型化することなく被写界深度を拡大させた画像を取得することができる。
【００８４】
また、所望する被写界深度を得られ、解像力の劣化を防止できる。
【００８５】
なお、上述した図２の偏光ビームスプリッタ２１の場合には、１回、つまり奇数回の反射後に撮像素子２２に光学像が結像される。このため、何れか一方の画像が図８のような結像状態（鏡像）となり、画像プロセッサ２３において鏡像を反転させて像方向を一致させる画像処理が施される。
【００８６】
光学的な偶数回の反射による鏡像の補正は、対物光学系の大型化やプリズムのコスト高となる場合があるので、奇数回の反射による鏡像の補正は、画像補正処理部２３ｂにて鏡像反転により行なうことが好ましい。
【００８７】
なお、撮像素子２２が、内視鏡長手方向に長尺な形状となっている場合には、画像表示部２４のアスペクト比を考慮して合成画像を適宜回転させることが好ましい。
【００８８】
（実施例１）
次に、実施例１に係る内視鏡システムが有する対物光学系について説明する。
図９（ａ）、（ｂ）は、対物光学系の断面構成を示す図である。ここで、図９（ａ）は、通常観察状態（遠距離物点）における対物光学系の断面構成を示す図である。図２（ｂ）は、近接観察状態（近距離物点）における対物光学系の断面構成を示す図である。
【００８９】
本実施例に係る対物光学系は、物体側から順に、負の屈折力の第１レンズ群Ｇ１と、正の屈折力の第２レンズ群Ｇ２と、正の屈折力の第３レンズ群Ｇ３と、から構成されている。また、明るさ絞りＳは、第２レンズ群Ｇ２と、第３レンズ群Ｇ３との間に配置されている。第２レンズ群Ｇ２は、光軸ＡＸ上を像側に移動して、通常観察状態から近接観察状態への変化に伴う焦点位置の変化を補正する。
【００９０】
第１レンズ群Ｇ１は、物体側から順に、物体側に平面を向けた平凹負レンズＬ１と、平行平板Ｌ２と、両凹負レンズＬ３と、像側に平面を向けた平凸正レンズＬ４と、からなる。ここで、負レンズＬ３と正レンズＬ４とは接合されている。第２レンズ群Ｇ２は、物体側に凸面を向けた正メニスカスレンズＬ５からなる。第３レンズ群Ｇ３は、物体側から順に、両凸正レンズＬ６と、像側に凸面を向けた負メニスカスレンズＬ７と、物体側に平面を向けた平凸正レンズＬ８と、両凸正レンズＬ９と、像側に凸面を向けた負メニスカスレンズＬ１０と、からなる。ここで、正レンズＬ６と負メニスカスレンズＬ７とは接合されている。正レンズＬ９と負メニスカスレンズＬ１０とは接合されている。
【００９１】
第３レンズ群Ｇ３の像側に、上述した光路分割部２０を配置している。光学系中のプリズムでは、光路が折り曲げられる。なお、平行平板Ｌ２は、特定の波長、例えばＹＡＧレーザーの１０６０ｎｍ、半導体レーザーの８１０ｎｍ、あるいは赤外域をカットするためのコーティングが施されたフィルターである。
【００９２】
図１０（ａ）、（ｂ）、（ｃ）、（ｄ）は、本実施例の通常観察状態における球面収差（ＳＡ）、非点収差（ＡＳ）、歪曲収差（ＤＴ）、倍率色収差（ＣＣ）を示す。
図１０（ｅ）、（ｆ）、（ｇ）、（ｈ）は、本実施例の近接観察状態における球面収差（ＳＡ）、非点収差（ＡＳ）、歪曲収差（ＤＴ）、倍率色収差（ＣＣ）を示す。
これら、諸収差図は、６５６．２７ｎｍ（Ｃ線）、５８７．５６ｎｍ（ｄ線）、及び４３５．８４ｎｍ（ｇ線）の各波長について示されている。また、各図中、「ω」は半画角を示す。
【００９３】
以下に、上記各実施例の数値データを示す。記号は、ｒは各レンズ面の曲率半径、ｄは各レンズ面間の間隔、ｎｄは各レンズのｄ線の屈折率、νｄは各レンズのアッベ数、ＦＮＯはＦナンバー、ωは半画角である。また、バックフォーカスｆｂは、最も像側の光学面から近軸像面までの距離を空気換算して表したものである。全長は、最も物体側のレンズ面から最も像側の光学面までの距離（空気換算しない）にバックフォーカスを加えたものである。
【００９４】
数値実施例１
単位  ｍｍ
面データ
面番号       r          d         nd       νd
1        ∞        0.48     1.88300    40.76
2       1.647      1.49
3        ∞        0.55     1.52100    65.12
4        ∞        0.34
5      -7.955      0.96     1.88300    40.76
6       1.999      1.37     1.84666    23.78
7        ∞        可変  
8       1.962      0.85     1.48749    70.23
9       2.080      可変
10(絞り)  ∞        0.07
11       3.615      1.10     1.64769    33.79
12      -1.551      0.32     2.00330    28.27
13      -9.523      0.04
14        ∞        0.78     1.69895    30.13
15      -2.831      0.04
16      11.007      0.92     1.48749    70.23
17      -2.335      0.34     1.92286    18.90
18      -5.022      4.48
像面      ∞ 
データ
通常観察状態  近接観察状態
焦点距離           1.00          1.00     
有効ＦＮＯ．       3.58          3.54      
画角２ω         145.01        139.17    
fb(in air)         4.44          4.35      
全長(in air)      16.18         16.18    
d7           0.45          1.17        
d10          1.60          0.88        
各群焦点距離
f1=-1.21   f2=21.02   f3=3.23   
【００９５】
以下、実施例１、実施例２、実施例３における条件式（１）〜（７）の数値を示す。なお、対物光学系ＯＢＬ（数値実施例１）の諸元値は、３つの実施例に関して、共通している。
条件式
(１)  d×sin(θ'-45)/(cosθ'×im_pitch)
(２)  Nd_Pr01/Nd_CE    
(３)  Nd_Pr02/Nd_CE
(４)  d×sin(θ'-45)/(cosθ'×fw) 
(５)  d×sin(θ'-45)/(cosθ'×ih) 
(６)  Nd_L01/Nd_CE  
(７)  Nd_L01/Nd_Pr01
条件式対応値
実施例1   実施例2   実施例3    
(１)     1.12      1.92      9.98       
(２)     1.10      1.14      1.29     
(３)     1.10      1.14      1.29      
(４)     0.0017    0.0038    0.013    
(５)     0.0017    0.004     0.0135   
(６)     1.26      1.26      1.29     
(７)     1.15      1.11      1.00     
パラメータ値
屈折率は、ｄ線における屈折率である。
実施例1    実施例2    実施例3   
Nd_Pr01       1.63854    1.69895    1.883
Nd_Pr02       1.63854    1.69895    1.883
Nd_CE         1.49       1.49       1.46
d             0.01       0.015      0.015
θ'          51.04      53.73      65.78
im_pitch(um)  1.5        2          1.3
fw            1          1          1
ih            0.959      0.959      0.959
Nd_L01        1.883      1.883      1.883
【００９６】
以上、本発明の種々の実施形態について説明したが、本発明は、これらの実施形態のみに限られるものではなく、その趣旨を逸脱しない範囲で、これら実施形態の構成を適宜組合せて構成した実施形態も本発明の範疇となるものである。
【産業上の利用可能性】
【００９７】
以上のように、本発明は、被深度が拡大され、良好に収差が補正された高画質な画像を取得できる内視鏡システムに有用である。
【符号の説明】
【００９８】
１０  内視鏡システム
２０  光路分割部
２１  偏光ビームスプリッタ
２１ａ  λ／４板
２１ｂ  第１プリズム
２１ｃ  ミラー
２１ｄ  λ／４板
２１ｅ  第２プリズム
２１ｆ  偏光分離膜
２１ｇ  接合剤
２１ｈ、２１ｉ  接着面
２２  撮像素子
２２ａ、２２ｂ  受光領域
２２ｃ  補正画素領域
２３  画像プロセッサ
２３ａ  画像読出部
２３ｂ  画像補正処理部
２３ｃ  画像合成処理部
２３ｄ  画像出力部
２４  画像表示部
ＣＧ  カバーガラス
ＯＢＬ  対物光学系
Ｇ１  第１レンズ群
Ｇ２  第２レンズ群
Ｇ３  第３レンズ群
Ｓ    明るさ絞り
【図１】
2017183371.tif 000003
【図２】
2017183371.tif 000004
【図３】
2017183371.tif 000005
【図４】
2017183371.tif 000006
【図５】
2017183371.tif 000007
【図６】
2017183371.tif 000008
【図７】
2017183371.tif 000009
【図８】
2017183371.tif 000010
【図９】
2017183371.tif 000011
【図１０】
2017183371.tif 000012
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
対物光学系と、
前記対物光学系で得られた被写体像を２つのピントの異なる光学像に２つのプリズムを用いて分割する光路分割部と、
前記２つの光学像を取得する１つの撮像素子と、
取得した前記２つの光学像を相対的にコントラストが高い画像を所定領域において選択し、合成画像を生成する画像合成処理部と、を有する内視鏡システムであって、
前記２つのプリズムは、接合剤を介在して接着面どうしが略並行になるように接着され、
前記接着面と前記対物光学系の光軸は、４５度の角度をなすとともに、以下の条件式（１）を満足することを特徴とする内視鏡システム。
１．１２≦ｄ×ｓｉｎ（θ’−４５）／（ｃｏｓθ’×ｉｍ＿ｐｉｔｃｈ）＜１０            …（１）
ここで、
ｉｍ＿ｐｉｔｃｈは、前記撮像素子の画素ピッチ、
θ’は、前記接着面へ入射した光線の屈折角、
ｄは、前記接合剤の厚さ、
である。
【請求項２】
以下の条件式（２）、（３）を満足することを特徴とする請求項１に記載の内視鏡システム。
０．７＜Ｎｄ＿Ｐｒ０１／Ｎｄ＿ＣＥ＜１．３      …（２） 
０．７＜Ｎｄ＿Ｐｒ０２／Ｎｄ＿ＣＥ＜１．３      …（３）
ここで、
Ｎｄ＿Ｐｒ０１は、物体側のプリズムのｄ線における屈折率、
Ｎｄ＿Ｐｒ０２は、像側のプリズムのｄ線における屈折率、
Ｎｄ＿ＣＥは、前記接合剤のｄ線における屈折率、
である。
【請求項３】
以下の条件式（４）、（５）を満足することを特徴とする請求項１に記載の内視鏡システム。
０．００１＜ｄ×ｓｉｎ（θ’−４５）／（ｃｏｓθ’×ｆｗ）＜５      …（４）
０．００１＜ｄ×ｓｉｎ（θ’−４５）／（ｃｏｓθ’×ｉｈ）＜３      …（５）
ここで、
ｄは、前記接合剤の厚さ、
θ’は、前記接着面へ入射した光線の屈折角、
ｆｗは、前記対物光学系の通常観察状態における焦点距離、
ｉｈは、像高、
である。
【請求項４】
前記対物光学系の最も物体側に負の第１レンズを有し、
以下の条件式（６）、（７）を満足することを特徴とする請求項２に記載の内視鏡システム。
０．７＜Ｎｄ＿Ｌ０１／Ｎｄ＿ＣＥ＜１．５      …（６）
０．７＜Ｎｄ＿Ｌ０１／Ｎｄ＿Ｐｒ０１＜１．５      …（７）
ここで、
Ｎｄ＿Ｌ０１は、前記負の第１レンズのｄ線における屈折率、
Ｎｄ＿ＣＥは、前記接合剤のｄ線における屈折率、
Ｎｄ＿Ｐｒ０１は、物体側のプリズムのｄ線における屈折率、
である。
【手続補正２】
【補正対象書類名】明細書
【補正対象項目名】０００７
【補正方法】変更
【補正の内容】
【０００７】
上述した課題を解決し、目的を達成するために、本発明は、以下の手段を提供する。
本発明に係る内視鏡システムの一態様は、
対物光学系と、
対物光学系で得られた被写体像を２つのピントの異なる光学像に２つのプリズムを用いて分割する光路分割部と、
２つの光学像を取得する１つの撮像素子と、
取得した２つの光学像を相対的にコントラストが高い画像を所定領域において選択し、合成画像を生成する画像合成処理部と、を有する内視鏡システムであって、
２つのプリズムは、接合剤を介在して接着面どうしが略並行になるように接着され、
接着面と対物光学系の光軸は、４５度の角度をなすとともに、以下の条件式（１）を満足することを特徴とする。角度の単位は、度である
１．１２≦ｄ×ｓｉｎ（θ’−４５）／（ｃｏｓθ’×ｉｍ＿ｐｉｔｃｈ）＜１０          …（１）
ここで、
ｉｍ＿ｐｉｔｃｈは、撮像素子の画素ピッチ、
θ’は、接着面へ入射した光線の屈折角、
ｄは、接合剤の厚さ、
である。
【国際調査報告】
2017183371.tif 000013
2017183371.tif 000014
2017183371.tif 000015
2017183371.tif 000016